(57)【要約】【課題】搭載貨物からの漏出物による床面の汚濁、並びに搭載貨物による床面の損傷を防止する。【解決手段】高吸液性を有するシート状の吸収主体３をコンテナ１の床面２に接着することによって、床面２に吸収主体３を全面均等配置、固定し、吸収主体３で搭載貨物Ｍからの漏出物を確実に受け止めて吸収させると共に、吸収主体３で床面２の損傷を防止する。【選択図】　　　　図１
2004142759.tif 000002
【特許請求の範囲】
【請求項１】
高吸液性を有するシート状の吸収主体をコンテナ床面に接着したことを特徴とする輸送コンテナ。
【請求項２】
輸送コンテナの床面に敷設するコンテナ用マットであって、高吸液性を有するシート状の吸収主体の裏面側に剥離紙で被覆した接着層を設けたことを特徴とするコンテナ用マット。
【請求項３】
表裏面シートの間に高吸液性高分子から成る吸収層を設けて吸収主体としたことを特徴とする請求項２記載のコンテナ用マット。
【請求項４】
吸収主体の裏面を防液性を有する裏面シートと成したことを特徴とする請求項２又は３記載のコンテナ用マット。
【請求項５】
コンテナ内寸に合致させて矩形に形成したマットを、裏面を外側にしてロール状に巻いたことを特徴とする請求項２、３又は４記載のコンテナ用マット。
【請求項６】
全幅をコンテナ内幅に合致させると共に、全長をコンテナ内長の２倍以上にしたマットを、裏面を外側にしてロール状に巻いたことを特徴とする請求項２、３又は４記載のコンテナ用マット。
【発明の詳細な説明】
【０００１】
【発明の属する技術分野】
本発明は、中古機械類を搭載貨物とする輸送コンテナおよびコンテナ用マットに関する。
【０００２】
【従来の技術】
従来、貿易輸出される中古の建設機械類（例えば、発電機、発動機、小型パワーショベル、小型ロードローラー等）の海上輸送には、箱型のドライコンテナ、所謂輸送コンテナが利用され、小型のパーツ類はパレットに収納されてコンテナに搭載され、機械類は木板張りの床上に直接載置されていた。
ところが、パーツ類や中古機械類から漏出した油、水等がコンテナの床に落下、付着して床を汚濁すると清掃が困難となったり、床材の張り替えを必要とし、更に、機械類に付着していた泥と油等が混合し、固着した時には清掃困難度が増大し、或いは、油等の漏出量が多い時にはコンテナ外に油等が流出してコンテナ外部を汚染する場合もあった。
又、パレットや機械類を搬入出する際に、パレットや機械類で床面を傷付けることもあった。
この様な課題を解決するために、コンテナの床におが屑を敷きつめ、その上にパレットや機械類を載置する搭載方法が一部採用されているが、おが屑の準備、輸送後の廃棄、均等な敷きつめが困難であるだけでなく、おが屑の吸収力不足により、吸収、保持されなかった油等がコンテナ床面を汚濁することがあり、万全の対策とならず、且つ、床面の傷防止の点でも不十分であった。
【０００３】
研究開発段階や出願段階で先行技術調査を行っておらず、記載すべき先行技術文献を知りません。
【０００４】
【発明が解決しようとする課題】
本発明は、コンテナ内の搭載貨物から漏出した油、水等による床面の汚濁対策、並びに搭載貨物によるコンテナ床面の損傷対策を施した輸送コンテナおよびコンテナ用マットを提供する。
【０００５】
【課題を解決するための手段】
本発明は、上記従来技術に基づく、搭載貨物からの漏出物による床面の汚濁、並びに搭載貨物による床面の損傷を防止せねばならない課題に鑑み、高吸液性を有するシート状の吸収主体をコンテナ床面に接着することによって、床面に吸収主体を全面均等配置、固定し、吸収主体で搭載貨物からの漏出物を確実に受け止めて吸収させると共に、吸収主体で床面の損傷を防止する様にして、上記課題を解決する。
【０００６】
【発明の実施の形態】
以下本発明の一実施例を図面に基づいて説明する。
図１、２は本発明に係る輸送コンテナを示す図であり、図１は床面にマットを敷設したコンテナの水平断面図、図２は図１の要部拡大縦断面図である。
本発明に係る輸送コンテナは、機械類の輸送に用いるコンテナ１の床面２に、高吸液性（自重に比して極めて多量の油、水等の液体を吸収する性質）を有するシート状の吸収主体３を接着して、床面２にマット４を敷設した状態と成している。
【０００７】
マット４は、破断しない強度及び吸収量を確保するために、幾分の厚みを有し、国際規格（全長×全幅＝２０×８フィート、又は４０×８フィート）のコンテナ１の内寸に合致させて矩形に形成され、剥離紙５で被覆した接着層６を、吸収主体３の裏面７側の周縁部に枠状に設けると共に、縦横に設けて全体的に格子状に設け、使用前の状態は、図３に示す様に、裏面７を外側にしてロール状に巻いている。
本実施例では、マット４の全長及び全幅を共にコンテナ１の内寸に合致させているが、マット４の全幅のみをコンテナ１の内幅（短手側長さ）に合致させ、全長をコンテナ１の内長（長手側長さ）より長く、例えば、内長の２倍以上に形成してロール状に巻き、敷設時にコンテナ１の内長に合致させて切断する様にしても良い。
又、接着層６を全体的に要所に設けているが、設定箇所は変更しても良く、例えば吸収主体３の裏面７側の全面に設けても良い。
剥離紙５は、少なくとも接着層６を被覆すれば、その箇所は限定されず、図示のものでは吸収主体３の裏面７の全面に設けている。
【０００８】
吸収主体３の主材は、高吸液性を有し、シート状に形成可能な素材であれば良く、例えば、高吸液性高分子、綿花、パルプ等で良い。
高吸液性高分子は、失禁用紙オムツや生理衛生品の材料として使用されているもので、例えば、ポリアクリル酸系の高分子、カルボキシルメチルセルロース系の半合成高分子等が挙げられる。
図４に示す様に、表裏面シート８、９の間に高吸液性高分子から成る吸収層１０を設けて吸収主体３としたり、図５に示す様に、吸収主体３の裏面７を防液性（油、水等の液状物を通さない性質）を有する裏面シート１１と成しても良い。
【０００９】
次に本発明のコンテナ用マットの貼付け方法および輸送コンテナの作用について説明する。
ロール状のマット４の裏面先端（自由端）側の剥離紙５を剥がし、コンテナ１の床面２の一端（一方の短尺辺側）にマット４の一端を合致させ、剥離紙５を剥がした接着層６を床面２に貼付け、その後、ロールを回転させながら、剥離紙５を剥がし、露出した接着層６を床面２に貼付け、床面２にマット４を順次展開し、床面２の全面にマット４を接着固定する。
全幅をコンテナ１の内幅に合致させると共に、全長をコンテナ１の内長の２倍以上にしたマット４の場合は、マット４を途中まで展開し、内長に合致する箇所で切断して、床面２の全面にマット４を接着固定する。
【００１０】
そして、床面２に固定されたマット４上に中古の建設機械類等の貨物Ｍを直接又はパレットを利用して載置し、コンテナ１に貨物Ｍを搭載する。
中古の建設機械類から油、水等が漏出した時には、床面２の全面に配置されたマット４上に流下した油等を受け止めて吸収する。
【００１１】
【発明の効果】
要するに本発明は、高吸液性を有するシート状の吸収主体３をコンテナ１の床面２に接着したので、床面２上を吸収主体３で被覆することにより、中古の建設機械類から落下した油、水、砂等を吸収し、床面２の汚濁や外部流出を防止することが出来ると共に、床面２に搭載貨物Ｍが接触しないことから、床面２の損傷を防止することが出来る。
又、床面２を被覆する吸収主体３は、シート状のものを接着固定することにより、輸送時の揺れ、積み込み時の摩擦でずれることがなく、均等配置状態が維持されるため、油等の落下位置にかかわらず、吸収することが出来る。
【００１２】
高吸液性を有するシート状の吸収主体３の裏面７側に剥離紙５で被覆した接着層６を設けたので、接着層６を剥がすだけで、簡単に接着できる。
【００１３】
表裏面シート８、９の間に高吸液性高分子から成る吸収層１０を設けて吸収主体３としたので、高吸液性高分子は大量生産品だから、品質が安定すると共に、安価なものとすることが出来る。
【００１４】
吸収主体３の裏面を防液性を有する裏面シート１１と成したので、貨物Ｍから多量の油等が漏出して吸収主体３の吸収許容量を超えてしまっても、裏面シート１１で油等の通過を阻止し、床面２の汚濁を防止することが出来る。
【００１５】
コンテナ１の内寸に合致させて矩形に形成したマット４を、裏面７を外側にしてロール状に巻いたので、ロールを回転させながら端から順にマット４を展開させることにより、巨大なコンテナ１の床面２の全面にマット３を簡単に敷設することが出来る。
【００１６】
国際規格のコンテナ１には、全長の異なる２種類のタイプが存在するが、マット４の全幅をコンテナ１内幅に合致させると共に、全長をコンテナ１内長の２倍以上にしたので、切断して長さ調整するだけで、いずれのタイプのコンテナ１にも対応出来るから、在庫の種類を単一化して、管理費を低く抑えることが出来る等その実用的効果甚だ大である。
【図面の簡単な説明】
【図１】本発明に係る輸送コンテナの水平断面図である。
【図２】図１の要部拡大縦断面図である。
【図３】ロール状に巻いた使用前のマットの斜視図である。
【図４】高分子の吸収層を有するマットの要部拡大縦断面図である。
【図５】防液性裏面シートを有するマットの要部拡大縦断面図である。
【符号の説明】
１　　　コンテナ
２　　　床面
３　　　吸収主体
４　　　マット
５　　　剥離紙
６　　　接着層
７　　　裏面
８、９　表裏面シート
１０　　　吸収層
１１　　　裏面シート
【図１】
2004142759.tif 000003
【図２】
2004142759.tif 000004
【図３】
2004142759.tif 000005
【図４】
2004142759.tif 000006
【図５】
2004142759.tif 000007